(57)【要約】【課題】折畳み式携帯端末の開閉状態や付属する反転可能な撮像カメラの位置寄らず、第１の表示部及び／又は第２の表示部に常に上下関係の正しい画像を表示する。【解決手段】第１の筐体と第２の筐体を連結部で開閉可能に連結し、撮像カメラを連結部に反転可能に設け、第２の筐体に表面第１の表示部を、第２の筐体の背面に第２の表示部を設け、第１の筐体と第２の筐体が開いた状態で、撮像カメラを反転させても第１の表示部に表示させる画像の上下関係を同じ側にして正しい上下関係を保ち、第１の筐体と第１の筐体を閉じた状態では、撮像カメラを反転させても第２の表示部に表示させる画像の上下関係を同じ側にして正しい上下関係を保つ。また、第１又は第２の表示部に表示される画像を鏡像に変換することができる。また、第１の筐体と第２の筐体が開いた状態で第２の表示部に画像を表示することができる。【選択図】　図１
2004120290.tif 000002
【特許請求の範囲】
【請求項１】
第１の筐体と、前記第１の筐体に対して開閉可能に連結され、表面に第１の表示部を、背面に第２の表示部を有する第２の筐体と、前記第１の筐体と前記第２の筐体の連結部に設けられ、位置を反転させることができる撮像カメラと、前記第１の筐体と前記第２の筐体との開閉状態を検出する開閉検出器と、前記撮像カメラの位置を検出する位置検出器とを備え、前記開閉検出器で、前記第１の筐体と前記第２の筐体とが開いていることを検出した場合、前記撮像カメラから出力された画像を前記第１の表示部に表示し、前記撮像カメラを反転させた場合には前記位置検出器からの信号によって画像を反転させて、画像を前記第１の表示部に表示することを特徴とする携帯端末。
【請求項２】
請求項１記載の携帯端末において、鏡像モード切換器を設け、前記鏡像モード切換器によって、前記第１の表示部に表示されている画像の左右を反転させて、鏡像を表示することを特徴とする携帯端末。
【請求項３】
請求項１記載の携帯端末において、前記第２の表示部をオフさせることを特徴とする携帯端末。
【請求項４】
請求項１記載の携帯端末において、サブ表示部点灯器を設け、前記サブ表示部点灯器によって、前記第１の表示部と同じ上下関係を保って、前記第２の表示部に前記撮像カメラからの画像を表示することを特徴とする携帯端末。
【請求項５】
第１の筐体と、前記第１の筐体に対して開閉可能に連結され、表面に第１の表示部を、背面に第２の表示部を有する第２の筐体と、前記第１の筐体と前記第２の筐体の連結部に設けられ、位置を反転させることができる撮像カメラと、前記第１の筐体と前記第２の筐体との開閉状態を検出する開閉検出器と、前記撮像カメラの位置を検出する位置検出器とを備え、前記開閉検出器で、前記第１の筐体と前記第２の筐体とが閉じていることを検出した場合、操作者にとって上下関係の正しい画像を前記第２の表示部に表示し、前記撮像カメラを反転させた場合には前記位置検出器からの信号によって画像を反転させて、同じ上下を保った画像を前記第２の表示部に表示することを特徴とする携帯端末。
【請求項６】
請求項５記載の携帯端末において、鏡像モード切換器を設け、前記鏡像モード切換器によって、前記第２の表示部に表示されている画像の左右を反転させた鏡像を表示することを特徴とする携帯端末。
【請求項７】
請求項５記載の携帯端末において、前記開閉検出器で、前記第１の筐体と前記第２の筐体とが閉じていることを検出した場合、前記第１の表示部を自動的にオフさせることを特徴とする携帯端末。
【請求項８】
第１の筐体に対して開閉可能に連結され、表面に第１の表示部を、背面に第２の表示部を有する第２の筐体を開くステップと、前記前記第１の筐体と前記第２の筐体の連結部に設けられ、位置を反転させることができる撮像カメラの第１の位置において、前記第１の表示部に前記撮像カメラからの画像を正しい上下関係を保って表示するステップと、前記撮像カメラを反転させるステップと、前記反転された撮像カメラからの画像を同じ上下関係を保って前記第１の表示部に表示するステップとを備えることを特徴とする携帯端末の画像表示方法。
【請求項９】
請求項８記載の携帯端末の画像表示方法において、前記第１の表示部に表示されている画像の左右を反転させて鏡像を表示するステップを設けることを特徴とする携帯端末の画像表示方法。
【請求項１０】
第１の筐体に対して開閉可能に連結され、表面に第１の表示部を、背面に第２の表示部を有する第２の筐体を前記第１の筐体に対して閉じるステップと、前記第１の表示部をオフするステップと、前記第１の筐体と前記第２の筐体の連結部に設けられ、位置を反転させることができる撮像カメラの第１の位置において、前記第２の表示部に前記撮像カメラからの画像を正しい上下関係を保って表示するステップと、前記撮像カメラを反転させるステップと、前記反転された撮像カメラからの画像を同じ上下関係を保って前記第２の表示部に表示するステップとを備えることを特徴とする携帯端末の画像表示方法。
【請求項１１】
請求項１０記載の携帯端末の画像表示方法において、前記第２の表示部に表示されている画像の左右を反転させて鏡像を表示するステップを設けることを特徴とする携帯端末の画像表示方法。
【発明の詳細な説明】
【０００１】
【発明の属する技術分野】
本発明はカメラ付き携帯電話機などの携帯端末及び携帯装置の映像表示方法に係り、特に、回転可能に連結された２つの筐体、回転可能な撮像カメラ、及び一方の筐体の一面に第１の表示部を、他面に第２の表示部を備える携帯端末の映像表示技術に関する。
【０００２】
【従来の技術】
携帯電話機等の携帯端末に撮像カメラを搭載することによって、この撮像カメラからの画像情報をメールやインターネットで通信することが可能になった。
ＶＴＲ部とモニタ部とを一体化してモニタ・ＶＴＲ部を構成し、そのモニタ・ＶＴＲ部の横側面に回転機構を介してカメラ部を反転させることができるように構成したモニタ付き一体型ＶＴＲが公知である（例えば、特許文献１参照）
また、従来、カメラ筐体を本体部に対して回転可能に取り付け、撮影を行わない場合にはレンズが固定された側面が本体部と対向するようにカメラ筐体を回転させてレンズを内側に収納して保護し、撮影を行う場合にはレンズが本体部に設けられた表示部と平行になるように回転させることができる携帯端末が公知である（例えば、特許文献２参照）。
【０００３】
更に、それぞれ表示部を有する２つの筐体が回転可能に取り付けられると共に、撮像カメラがヒンジ連結部で回転可能に取り付けられ、２つの筐体を開いた状態でこれら表示部が現れるように構成された撮像カメラ搭載型折り畳み式携帯電話機が公知である（例えば、特許文献３参照）
【特許文献１】
特開平６−９８２１０号公報（図１、図２、図１１、第３頁〜第６頁参照）
【特許文献２】
特開２００２−７３２０７号公報（図１、図３、第３頁〜第５頁参照）
【特許文献３】
特開２００２−２５９０８７号公報（図１〜図３、図５、第３頁〜第４頁参照）
【０００４】
【発明が解決しようとする課題】
特許文献１及び２に示す従来例では、モニタ部又は表示部の前後の映像をカメラ部で撮影することができるが、モニタ部の画面は一つであるため、この携帯端末の操作者と他の人が同じ映像を別々の画面で観察することができない等の問題がある。
特許文献３の従来例では、撮像カメラがヒンジ連結部で回転式に取り付けられており、筐体を開いた状態からワンタッチで撮像カメラの向きを自己と外部の被写体との両方に切り換えることができ、取りたい画像を確認しながら撮影を行うことができる。しかしながら、外部被写体を、表示部でその画像を見ながら撮影する場合には、２つの筐体をヒンジ連結部で開いた状態にする必要があり、折畳み式での小型化の優位性が欠落してしまう。
【０００５】
本発明の目的は複数の表示部を有する撮像カメラ搭載型折り畳み式携帯端末のおいて、撮像カメラを回転させて撮影した場合、上下方向を正しく表示することができる携帯端末の画像表示技術を提供することにある。
本発明の他の目的は、更に、画像の左右を逆にした鏡モードの画像表示技術を提供することにある。
【０００６】
【課題を解決するための手段】
上記目的を達成するために、第１の発明では、携帯端末は、第１の筐体と、前記第１の筐体に対して開閉可能に連結され、表面に第１の表示部を、背面に第２の表示部を有する第２の筐体と、前記第１の筐体と前記第２の筐体の連結部に設けられ、位置を反転させることができる撮像カメラと、前記第１の筐体と前記第２の筐体との開閉状態を検出する開閉検出器と、前記撮像カメラの位置を検出する位置検出器とを備え、前記開閉検出器で、前記第１の筐体と前記第２の筐体とが開いていることを検出した場合、操作者にとって上下関係の正しい画像を前記第１の表示部に表示し、前記撮像カメラを反転させた場合には前記位置検出器からの信号によって画像を反転させて、同じ上下を保った画像を前記第１の表示部に表示する。
【０００７】
第２の発明では、携帯端末は、第１の筐体と、前記第１の筐体に対して開閉可能に連結され、表面に第１の表示部を、背面に第２の表示部を有する第２の筐体と、前記第１の筐体と前記第２の筐体の連結部に設けられ、位置を反転させることができた撮像カメラと、前記第１の筐体と前記第２の筐体との開閉状態を検出する開閉検出器と、前記撮像カメラの位置を検出する位置検出器とを備え、前記開閉検出器で、前記第１の筐体と前記第２の筐体とが閉じていることを検出した場合、操作者にとって上下関係の正しい画像を前記第２の表示部に表示し、前記撮像カメラを反転させた場合には前記位置検出器からの信号によって画像を反転させて、同じ上下を保った画像を前記第２の表示部に表示する。
【０００８】
第１、又は第２の発明において、鏡像モード切換器を設け、前記鏡像モード切換器によって、前記第１の表示部又は前記第２の表示部に表示されている画像の左右を反転させて、鏡像を表示することができる。
【０００９】
第３の発明では、携帯端末の画像表示方法は、第１の筐体に対して開閉可能に連結され、表面に第１の表示部を、背面に第２の表示部を有する第２の筐体を開くステップと、前記前記第１の筐体と前記第２の筐体の連結部に設けられ、位置を反転させることができる撮像カメラの第１の位置において、前記第１の表示部に前記撮像カメラからの画像を正しい上下関係を保って表示するステップと、前記撮像カメラを反転させるステップと、前記反転された撮像カメラからの画像を同じ上下関係を保って前記第１の表示部に表示するステップとを備える
第４の発明では、携帯端末の画像表示方法は、第１の筐体に対して開閉可能に連結され、表面に第１の表示部を、背面に第２の表示部を有する第２の筐体を前記第１の筐体に対して閉じるステップと、前記第１の表示部をオフするステップと、前記第１の筐体と前記第２の筐体の連結部に設けられ、位置を反転させることができる撮像カメラの第１の位置において、前記第２の表示部に前記撮像カメラからの画像を正しい上下関係を保って表示するステップと、前記撮像カメラを反転させるステップと、前記反転された撮像カメラからの画像を同じ上下関係を保って前記第２の表示部に表示するステップとを備える。
【００１０】
【発明の実施の形態】
以下、本発明に係わる実施形態に付いて、実施例を用い、図を参照して説明する。
図１は本発明による撮像カメラ付き折畳み式携帯端末の一実施例を示す構成図であり、図１（ａ）は正面図、図１（ｂ）は側面図、図１（ｃ）は背面図を示す。図１において、１、２は筐体、３ａ、３ｂはヒンジ連結部、４は十字キー、５ａ、５ｂはソフトキー、６はテンキー、７は筐体１に設けられている送話器、８はイヤホン挿入穴である。９はモード切換スイッチ、１０は受話器、１１は第１の表示部（以下、メイン表示部と言う。）、１２は第２の表示部（以下、サブ表示部と言う）、１３はシャッターボタン、１４は撮像カメラ（ここに表示されているのはカメラレンズであるが、このレンズと協動して撮像カメラとして動作するので、説明の便宜上撮像カメラとして説明する）、１５ａ、１５ｂはマイク、２１ａはマグネット、２１ｂはマグネット検出センサ、２２は鏡モード切換スイッチ、２３はリミットスイッチ等で構成される位置検出器、２４はサブ表示部点灯スイッチである。２つの筐体１、２が開いている場合、このサブ表示部点灯スイッチ２４を押圧することによって、第２の表示部１２がオンし、画像が表示される。
【００１１】
筐体１の表面にはテンキー６、十字キー４、ソフトキー５ａ、５ｂ等の操作部、マグネット検出センサ２１ｂが設けられている。また、筐体１の側面にはイヤホン挿入穴８、撮像カメラ１４の撮影モード等を切り換えるためのモード切換スイッチ９及び鏡モード切換スイッチ２２が設けられている。モード切換スイッチ９は撮像カメラ１４による撮像条件の設定モードや動画撮像モード、静止画撮像モードと言った撮像モード、更には、これらの撮影画像を閲覧するモードを切り換えるためのスイッチである。鏡モード切換スイッチ２２は被写体を撮像カメラ１４で撮影して得られた画像を表示部１１又は表示部１２に表示する場合、被写体をあたかも鏡に写した場合と同様に表示するために用いる。即ち、この鏡モード切換スイッチ２２を押すことによって、あたかも鏡に写したと同じ画像を表示部１１又は表示部１２に表示することができる。もう一度、この鏡モード切換スイッチ２２を押すことによって、通常の画像、鏡モードの画像の左右を逆転した画像を表示することができる。また、ソフトキー５ａ、５ｂはこれらの単独操作又はテンキー６との組み合わせ操作により、電話とメール或いはインターネットなどの情報通信との切り換えや着信音、第１、第２の表示部１１、１２の色、明るさ等の設定、選択又は変更、文字入力時の入力モード、変換モードの切り換えなどを行うのに用いる。
【００１２】
筐体２の表面には図１（ａ）に示すように、受話器１０、第１の表示部１１及びマグネット２１ａが設けられている。筐体２を回転させて筐体１と筐体２を閉じた状態にすると、マグネット検出センサ２１ｂはマグネット２１ａの磁気を検出し、筐体１と筐体２は閉じた状態になったことを検出することができる。筐体２の背面には、図１（ｃ）に示すように、第２の表示部１２、撮像カメラ１４のシャッタースイッチ１３とマイク１５ｂとが配置されている。また、ヒンジ連結部３ａ、３ｂ間の撮像カメラ１４の脇には、マイク１５ａが、撮像カメラ１４の撮影方向に向けて配置されている。また、図１（ｂ）に示すように、撮像カメラ１４には位置検出器２３が設けられており、この位置検出器２３を筐体１の背面又は筐体２の背面に接触させることによって、撮像カメラ１４が図１（ａ）に示す方向に向いているか、逆の方向に向いているかを検出することができる。
【００１３】
本実施例では、筐体１と筐体２を開いた状態の場合には、第１の表示部１１、及び第２の表示部１２に撮像カメラ１４で撮影した画像を表示することができる。勿論、撮像カメラ１４で撮影した画像を第１の表示部１１又は第２の表示部１２の何れかのみに表示しても良い。例えば、映像カメラ１４の位置によって、画像を表示する表示部を第１又は第２の表示部１１、１２から選択するようにしても良い。要は、撮影する被写体と観察する位置によってどの表示部を選択するかを決めることができる。筐体２の背面に設けられた第２の表示部１２は、筐体１と筐体２とが折畳まれた状態、即ち、閉じ合わせたときに主として用いられる。
図１（ｃ）に示すように、筐体２の背面にはシャッタースイッチ１３が設けられている。このシャッタースイッチ１３は筐体１、２を折畳んだ状態で片手操作が可能なように配置されている。
【００１４】
次に、撮像カメラ１４による撮影時の第１、第２の表示部１１、１２の表示状態について説明する。
図２は２つの筐体が開かれ、撮像カメラがＭ方向に向けられた場合の携帯端末の一実施例を示す斜視図である。図３は２つの筐体が開かれた場合の携帯端末の第１及び第２の表示部の表示状態を説明するための概略の構成図であり、図３（ａ）携帯端末の側面図、図３（ｂ）は携帯端末の正面図、図３（ｃ）、図３（ｄ）は携帯端末の背面図である。図２、図３において、図１と対応する部分には同一の符号を付けてその説明を省略する。撮像カメラ付き折畳み式携帯端末を開いた状態にすると、マグネット検出センサ２１ｂによってマグネット２１ａからの磁気が検出されなくなる。よって、マグネット検出センサ２１ｂの出力によって、折畳み式携帯端末が開かれた状態であることが分かる。また、撮像カメラ１４の向きは、この撮像カメラ１４に取り付けられている位置検出器２３からの出力によって検出できる。これらの情報から通常第２の表示部１２には映像が表示されないように、第２の表示部１２はオフされる。
図２、図３（ａ）に示すように、撮像カメラ１４はＭ方向、即ち、第１の表示部１１と同じ方向、又は手前の方向を向いている。図の状態で、操作者がこの撮像カメラ１４と対面している場合には、この撮像カメラ１４で操作者を撮影することができる。この場合、図３（ｂ）に示すように、操作者は第１の表示部１１に表示された自分の姿を見ることができる。通常この状態では、前述したように、第２の表示部１２はオフされているが、サブ表示部点灯スイッチ２４を押すと第２の表示部１２はオンし、図３（ｄ）に示すように、画像が表示される。
【００１５】
次に、第１の表示部に通常の画像の左右を反転させた鏡像を表示する場合について説明する。
図４は２つの筐体が開かれた場合の携帯端末の第１の表示部の表示状態を説明するための正面図であり、図４（ａ）は第１の表示部に通常の画像を表示した場合を、図４（ｂ）は第１の表示部に鏡像を表示した場合を示す。
通常第１の表示部１１には、図４（ａ）に示すように、通常の画像が表示される。この状態において、鏡モード切換スイッチ２２を押すと、図４（ｂ）に示すように図４（ａ）の鏡像が第１の表示部１１に表示される。
【００１６】
次に、サブ表示点灯スイッチ２４をオンさせると、第２の表示部１２に撮像カメラ１４で撮影された画像が表示される。サブ表示部である第２の表示部１２は通常折畳み式携帯端末が閉じられている状態の時に使用される。この場合、撮像カメラ１４で撮影された画像は第２の表示部１２のヒンジ連結部３ａ、３ｂ側が上になるように画像が表示される。よって、折畳み式携帯端末を開いた状態では、図３（ｃ）に示すように、画像が逆さまに表示される。本実施例では、マグネット検出センサ２１ｂの出力から折畳み式携帯端末が開かれた状態であり、位置検出器２３の出力から撮像カメラ１４がＭ方向、つまり手前側に回転されていることを検出し、サブ表示部点灯スイッチ２４がオンされ第２の表示部１２がオンされたことを検出し、図３（ｄ）に示すように第２の表示部１２のヒンジ部３ａ、３ｂ側が下になるように、上下が反転された画像が表示される。
【００１７】
次に、折畳み式携帯端末を開いた状態で、撮像カメラ１４を反転させた場合の表示状態について説明する。
図５は２つの筐体が開かれ、撮像カメラがＫ方向に向けられた場合の携帯端末の一実施例を示す斜視図である。図において、図１又は図２に対応する構成要素には同一の符号を付し、その説明を省略する。図５では筐体２を開き、筐体２の表示部１１を撮影者７０に向け、撮像カメラ１４の開口部方向を外部の被写体に向けた場合、即ち撮像カメラ１４を図のＫ方向、即ち向こう側に向けた場合を示しており、撮像カメラ１４は図２、図３の状態から１８０°回転された状態になっている。よって、この場合、第１の表示部１１には上下が逆転した画像が表示されるが、マグネット検出センサ２１ｂの出力によって、折畳み式携帯端末が開かれた状態であることと、位置検出器２３の出力から、撮像カメラ１４が１８０°反転されたことを示す情報が得られるので、これらの情報から、第１の表示部１１に表示される画像は上下反転処理が行われ、正しい向き、即ち、第１表示部１１のヒンジ連結部３ａ、３ｂ側が下側になるように表示される。この場合も、サブ表示部点灯スイッチ２４を押さない限り第２の表示部１２には画像は表示されない。
サブ表示部点灯スイッチ２４を押すと、第２の表示部１２はオンし、画像が表示される。この場合、撮像カメラ１４が手前方向を向いていた場合とは上下が反転された画像が表示される。しかしながら、マグネット検出センサ２１ｂの出力によって、折畳み式携帯端末が開かれた状態であることと、位置検出器２３の出力から、撮像カメラ１４が１８０°反転されたことを示す情報が得られ、サブ表示部点灯スイッチ２４から第２の表示部１２がオンされた情報が得られるので、これらの情報を基に、第２の表示部１２のヒンジ連結部３ａ、３ｂ側が下側になるような、上下関係の正しい画像を表示することができる。
本実施例においても、鏡モード切換スイッチ２２を押すことによって、第２の表示部１２に鏡像を表示することができる。
【００１８】
次に折畳み式携帯端末を閉じ、撮像カメラ１４を図６のＮ方向に回転させた場合の表示状態について説明する。
図６は折畳み式携帯端末を閉じた場合で、撮像カメラが手前側に向けられた場合の一実施例を示す正面側の斜視図である。図７は２つの筐体が閉じられた折畳み式携帯端末の第２の表示部の表示状態を説明するための概略の側面図及び正面図であり、図７（ａ）は携帯端末の側面図、図７（ｂ）は携帯端末の正面図である。図６、７において、図１〜図５と対応する構成要素には同一の符号を付し、その説明を省略する。
図６及び図７（ａ）の状態では、筐体１、２を閉じ、筐体２の背面にある第２の表示部１２と撮像カメラ１４がＮ方向、即ち手前側に向けられている。撮像カメラ１４は操作者を撮影することができる位置にあり、操作者は第２の表示部１２の画像を観ることができる。また、マグネット検出センサ２１ｂはマグネット２１ａからの磁気を検出することによって、折畳み式携帯端末が閉じられたことが分かる。折畳み式携帯端末が閉じられた場合、第１の表示部１１は観ることができないので、マグネット検出センサ２１ｂの出力によって、第１の表示部１１はオフし、第２の表示部１２は自動的にオンする。また、撮像カメラ１４の位置検出器２３によって撮像カメラ１４の位置が分かるため、図７（ｂ）に示すように、第２の表示部１２に表示される画像は、撮像カメラ１４側、又はヒンジ連結部３ａ、３ｂ側が上に表示される。
【００１９】
図８は第２の表示部に表示される画像を説明するための正面図であり、図８（ａ）は通常の画像を、図８（ｂ）は通常の画像の左右を反転した画像である。図８（ａ）は第２の表示部１２に表示された通常の画像である。この画像の左右を反転して鏡像を表示する場合には、鏡モード切換スイッチ２２を押すと、図８（ｂ）に示すように、左右が反転され、あたかも鏡に写した像を表示することができる。
図９は折畳み式携帯端末を閉じ、第２の表示部を撮影者側に向け、撮像カメラを撮影者とは反対側であるＰ方向、即ち向こう側に向けた場合の一実施例を示す斜視図である。図１０は図７（ａ）の状態において、撮像カメラを１８０℃回転させた場合における第２の表示部の表示状態を説明するための概略の側面図及び正面図であり、図１０（ａ）は携帯端末の側面図、図１０（ｂ）は上下が反転されて表示された携帯端末の正面図、図１０（ｃ）は正常に表示された携帯端末の正面図である。
図６、図７（ａ）の状態から、図９、図１０（ａ）に示すように、撮像カメラ１４を１８０°反転した場合、そのままであると、図１０（ｂ）に示すように、第２の表示部１２には上下が反転された画像が表示されるが、撮像カメラ１４の位置検出器２３によって、撮像カメラ１４が反転されたことを検出すると、図１０（ｃ）に示すように、第２の表示部１２には撮像カメラ１４側を上とする正常な画像が表示される。
【００２０】
次に、本発明による端末装置の画像表示システム構成について説明する。
図１１は本発明による端末装置の画像表示システムの一実施例を示すブロック図である。図において、２１ｂはマグネット検出センサであり、折畳み式携帯端末が閉じた状態では、磁気を検出して出力し、開いた状態では磁気が検出されないことを出力するため、このセンサ２１ｂの出力によって、折畳み式携帯端末が閉じた状態なのか、開かれた状態なのかを検知することができる。２２は鏡モード切換スイッチであり、このスイッチ２２が押されると鏡モードにするための信号が出力される。この鏡モード切換スイッチ２２をもう一度押すと他の信号が出力され、鏡モードが解除される。位置検出器２３は撮像カメラ１４の位置に応じた信号を発生するスイッチであり、撮像カメラ１４が手前側、即ち図２のＭ方向及び図６のＮ方向を向いているのか、または向こう側、即ち図５のＫ方向及び図９のＰ方向を向いているか否かによって異なった信号を発生する。サブ表示部点灯スイッチ２４が押されると信号が発生され、再度押されると他の信号が発生されるため、サブ表示部点灯スイッチ２４を最初に押すと第２の表示部１２がオンして、第２の表示部１２に撮像カメラ１４からの映像が表示される。
なお、マグネット検出センサ２１ｂは必ずしもマグネットを検出するセンサでなくてもよく、折畳み式携帯端末を閉じるとオンまたはオフするスイッチでもよい。
【００２１】
マグネット検出センサ２１ｂ、スイッチ２２〜２４は制御手段３１に入力される。キー入力手段３２は十字キー４、ソフトキー５ａ、５ｂ及びテンキー６等のキー手段であり、キー入力手段３２の出力は制御手段３１に入力され、制御手段３１で入力されたキーの役目を果たすように当該回路が制御される。また、撮像カメラ１４、記憶手段３３、画像処理手段３４は制御手段３１と接続されている。記憶手段３３はセンサ２１ｂ、各スイッチ２２〜２４の状態を記憶すると共に、鏡像や上下反転した画像を作成する場合の一時的な画像のメモリとして使用される。したがって、鏡像や上下反転画像は制御手段３１と記憶手段３３との協働によって作成される。画像処理手段３４は映像信号を第１、第２の表示部１１、１２で表示するに適した信号を作成したり、撮像カメラ１４から出力される色差信号Ｙ、Ｕ、Ｖを色信号Ｒ、Ｇ、Ｂに変換したり、縮小画像を作成しりする手段である。
このシステムにおいて、マグネット検出センサ２１ｂ、スイッチ２２〜２４の出力に応じて、図１〜図１０を用いて説明したように第１及び／又は第２の表示部１１、１２に表示する画像を変換することができる。
【００２２】
なお、本実施例では、マグネット２１ａとマグネット検出センサ２１ｂを用いて折畳み式携帯端末の開閉状態を把握しているが、他の手段、例えば、例えばスイッチでもよく、要は、携帯端末の開閉状態を検出することができればよく、以下、開閉検出器２１という。また、鏡像モード切換スイッチ２２は必ずしもスイッチでなくとも良いので、鏡像モードに切り換えられる手段全てを含めて鏡像モード切換器という。また、サブ表示部点灯スイッチは必ずしもスイッチでなくとも良いので、サブ表示部点灯器という。
【００２３】
以上述べたように、本発明によれば、
（１）開閉検出器２１で、折畳み式携帯端末が開いていることを検知し、位置検出器２３によって、撮像カメラ１４が手前側に向けられていることを検知した場合、第２の表示部１２をオフさせ、第１の表示部に上下の正しい画像（撮像カメラ１４側が下になるような画像）を表示する。
サブ表示部点灯スイッチ２４を押すと、第２の表示部１２にも撮像カメラ１４側が下になるような、即ち上下の正しい画像を表示する。
鏡モード切換スイッチ２２を押すと、第１の表示部１１に表示された画像の左右が反転し、第１の表示部１１には鏡像が表示される。
（２）折畳み式携帯端末が開いている状態において、撮像カメラ１４を反転させると、位置検出器２３の出力によって、撮像カメラ１４が反転されたことが分かるため、この情報によって、撮像カメラ１４で撮像された画像の上下を反転して第１の表示部１１及び／又は第２の表示部１２に供給するために、第１の表示部１１及び／又は第２の表示部１２には上下の正しい画像を表示することができる。
この場合においても、サブ表示部点灯スイッチ２４を押すと、第２の表示部１２上下の正しい画像が表示される。また、鏡モード切換スイッチ２２を押すと、第２の表示部１２に表示されている画像の左右が反転し、第２の表示部１２には鏡像が表示される。
（３）開閉検出器２１ｂによって、折畳み式携帯端末が閉じたことを検出すると、第１の表示部１１はオフされる。位置検出器２３によって、撮像カメラ１４が手前側を向いていることを検出すると、第２の表示部１２には撮像カメラ部１４側が上側となる、上下の正しい画像が表示される。携帯端末が閉じている場合、鏡モード切換スイッチ２２を押すと、第２の表示部１２に表示されている画像の左右が反転し、第２の表示部１２には鏡像が表示される。
（４）折畳み式携帯端末が閉じている状態で、撮像カメラ１４を手前側から向こう側に反転させると、位置検出器２３の出力によって、撮像カメラ１４が反転されたことが分かるため、この情報によって、撮像カメラ１４で撮像された画像の上下を反転して第２の表示部１２に供給するために、第２の表示部１２には上下の正しい画像を表示することができる。
【００２４】
【発明の効果】
以上述べたように、本発明によれば、折畳み式携帯端末の開閉状態に係わらず、第１の表示部及び／又は第２の表示部に、自動的に上下の正しい画像を表示することができる。
また、本発明によれば、第１の表示部又は第２の表示部に鏡像を表示することができる。
また、折畳み式携帯端末が開いている場合に、第２の表示部に撮像カメラの画像を表示することができる。
【図面の簡単な説明】
【図１】本発明による撮像カメラ付き折畳み式携帯端末の一実施例を示す構成図である。
【図２】２つの筐体が開かれ、撮像カメラが手前（Ｍ方向）に向けられた場合の携帯端末の一実施例を示す斜視図である。
【図３】２つの筐体が開かれた場合の携帯端末の第１及び第２の表示部の表示状態を説明するための側面図、正面図及び背面図である。
【図４】２つの筐体が開かれた場合の携帯端末の第１の表示部の表示状態を説明するための正面図である。
【図５】２つの筐体が開かれ、撮像カメラがＫ方向に向けられた場合の携帯端末の一実施例を示す斜視図である。
【図６】折畳み式携帯端末を閉じた場合で、撮像カメラが手前側に向けられた場合の一実施例を示す正面側の斜視図である。
【図７】２つの筐体が閉じられた折畳み式携帯端末の第２の表示部の表示状態を説明するための概略の側面図及び正面図である。
【図８】第２の表示部に表示される画像を説明するための正面図である。
【図９】折畳み式携帯端末を閉じ、第２の表示部を撮影者側に向け、撮像カメラを撮影者とは反対側であるＰ方向、即ち向こう側に向けた場合の一実施例を示す斜視図である。
【図１０】図７（ａ）の状態において、撮像カメラを１８０℃回転させた場合における第２の表示部の表示状態を説明するための概略の側面図及び正面図である。
【図１１】本発明による端末装置の画像表示システムの一実施例を示すブロック図である。
【符号の説明】
１、２…筐体、３ａ、３ｂ…ヒンジ連結部、４…十字キー、５ａ、５ｂ…ソフトキー、６…テンキー、７…送話器、８…イヤホン挿入穴、９…モード切換スイッチ、１０…受話器、１１…第１の表示部、１２…第２の表示部、１３…シャッターボタン、１４…撮像カメラ、１５ａ、１５ｂ…マイク、２１ａ…マグネット、２１ｂ…マグネット検出センサ、２２…鏡モード切換スイッチ、２３…位置検出器、２４…サブ表示部点灯スイッチ。
【図１】
2004120290.tif 000003
【図２】
2004120290.tif 000004
【図３】
2004120290.tif 000005
【図４】
2004120290.tif 000006
【図５】
2004120290.tif 000007
【図６】
2004120290.tif 000008
【図７】
2004120290.tif 000009
【図８】
2004120290.tif 000010
【図９】
2004120290.tif 000011
【図１０】
2004120290.tif 000012
【図１１】
2004120290.tif 000013